(57)【要約】【課題】沈降分離性能を向上させることができる沈殿槽を提供することである。【解決手段】実施形態の沈殿槽は、槽体と、流入管と、複数の分散板と、を持つ。流入管は、前記槽体の内側において前記槽体の中心軸に沿って配置される。複数の分散板は、前記流入管の下方において上下方向に並んで配置される。前記複数の分散板の上面は、前記流入管の径方向の内側から外側にかけて下方に傾斜する。前記複数の分散板の外周は、前記流入管の内周より前記径方向の外側に配置される。【選択図】図１
2020089845.tif 000002
【特許請求の範囲】
【請求項１】
槽体と、
前記槽体の内側において前記槽体の中心軸に沿って配置される流入管と、
前記流入管の下方において上下方向に並んで配置される複数の分散板と、を有し、
前記複数の分散板の上面は、前記流入管の径方向の内側から外側にかけて下方に傾斜し、
前記複数の分散板の外周は、前記流入管の内周と同じ前記径方向の位置または前記流入管の内周より前記径方向の外側に配置される、
沈殿槽。
【請求項２】
前記複数の分散板は、最下方に配置される最下方分散板と、前記最下方分散板の上方に配置される上方分散板と、を有し、
前記上方分散板は、前記径方向の中央部に上方開口部を有する、
請求項１に記載の沈殿槽。
【請求項３】
前記最下方分散板は、前記径方向の中間部に最下方開口部を有する、
請求項２に記載の沈殿槽。
【請求項４】
前記最下方開口部の前記径方向の内側端部は、前記上方開口部の前記径方向の外側端部より外側に配置される、
請求項３に記載の沈殿槽。
【請求項５】
前記複数の分散板の上下方向の位置をそれぞれ独立して変更可能に前記複数の分散板を支持する分散板支持機構を有する、
請求項１から４のいずれか１項に記載の沈殿槽。
【請求項６】
前記複数の分散板の上面に沿って相対的に移動可能な複数の清掃部材を有する、
請求項１から５のいずれか１項に記載の沈殿槽。
【請求項７】
前記複数の清掃部材の上下方向の位置をそれぞれ独立して変更可能に前記複数の清掃部材を支持する清掃部材支持機構を有する、
請求項６に記載の沈殿槽。
【請求項８】
前記複数の分散板および前記複数の清掃部材の一方は、前記流入管に接続され、
前記複数の分散板および前記複数の清掃部材の他方は、前記沈殿槽の底部に配置される掻寄板を回転させる掻寄シャフトに接続される、
請求項６に記載の沈殿槽。
【発明の詳細な説明】
【技術分野】
【０００１】
本発明の実施形態は、沈殿槽に関する。
【背景技術】
【０００２】
工業廃水などの被処理水に含まれる浮遊物質等を沈降分離させる沈殿槽が知られている。沈殿槽は、沈降分離性能を向上させることが望まれている。
【先行技術文献】
【特許文献】
【０００３】
【特許文献１】特開２０１８−２０２８９号公報
【発明の概要】
【発明が解決しようとする課題】
【０００４】
本発明が解決しようとする課題は、沈降分離性能を向上させることができる沈殿槽を提供することである。
【課題を解決するための手段】
【０００５】
実施形態の沈殿槽は、槽体と、流入管と、複数の分散板と、を持つ。流入管は、前記槽体の内側において前記槽体の中心軸に沿って配置される。複数の分散板は、前記流入管の下方において上下方向に並んで配置される。前記複数の分散板の上面は、前記流入管の径方向の内側から外側にかけて下方に傾斜する。前記複数の分散板の外周は、前記流入管の内周より前記径方向の外側に配置される。
【図面の簡単な説明】
【０００６】
【図１】第１の実施形態の沈殿槽の全体構成を示す断面図。
【図２】分散板ユニットを示す拡大断面図。
【図３】第１の実施形態の第１分散板および第１清掃板を示す平面断面図。
【図４】第１の実施形態の第１変形例の第１清掃板を示す平面断面図。
【図５】第１の実施形態の第２変形例の第１清掃板を示す平面断面図。
【図６】第１の実施形態の第３変形例の第１分散板を示す平面図。
【図７】第１の実施形態の第４変形例の第１分散板を示す平面図。
【図８】第２の実施形態の分散板ユニットを示す断面図。
【発明を実施するための形態】
【０００７】
以下、実施形態の沈殿槽を、図面を参照して説明する。なお以下の説明では、同一または類似の機能を有する構成に同一の符号を付す。そして、それら構成の重複する説明は省略する場合がある。
【０００８】
（第１の実施形態）
まず、沈殿槽１の全体構成について説明する。
図１は、本実施形態の沈殿槽１の全体構成を示す断面図である。
図１に示すように、沈殿槽１は、槽体１１、被処理水供給部１２、流入管ユニット１３、溢流堰１４、被処理水排出部１５、掻寄機構１６、および汚泥引抜管１７を有する。なお図１中では、被処理水の流れを矢印で模式的に示す。槽体１１（流入管２５、掻寄シャフト３１）の中心軸Ｃは、例えば鉛直方向に沿って配置される。実施形態において、槽体１１（流入管２５、掻寄シャフト３１）の軸方向、径方向および周方向を、それぞれ上下方向、径方向および周方向と呼ぶ。
【０００９】
槽体１１は、円筒状または多角形状などの筒状に形成された容器である。槽体１１は、例えば、底壁２１と、底壁２１の周縁部から上方に向けて起立した周壁２２とを含む。槽体１１は、内部に被処理水を貯留するとともに、フロックを沈殿させる。なお「フロック」とは、凝縮作用などによって生成された塊状物を意味し、例えば浮遊物質を含む被処理水中に凝縮剤などが添加されることで生じる綿くず状の塊状物を意味する。槽体１１は、内部に貯留する被処理水の流れを均一化できるように、例えば槽体１１の中心軸Ｃを鉛直方向と略一致させて設置されている。また、槽体１１の底壁２１の中央部には、沈殿物を槽体１１の外部に排出する排出口２１ａが設けられている。排出口２１ａには、汚泥引抜管１７が接続されている。
【００１０】
被処理水供給部１２は、例えば槽体１１の外側から槽体１１の内側に延びた流入トラフ（または供給配管など）である。本願で言う「トラフ」とは、溝を形成する構造体を意味する。被処理水供給部１２は、後述する溢流堰１４よりも上方に配置され、流入管ユニット１３の上端に接続されている。被処理水供給部１２は、処理対象の被処理水を流入管ユニット１３内に上方から連続的に供給する。
【００１１】
流入管ユニット１３は、槽体１１の内側（すなわち、沈殿槽１の内側）に配置され、被処理水供給部１２から供給された被処理水を槽体１１内に流入させる。本実施形態の流入管ユニット１３は、流入管２５と、流入管２５から槽体１１内に流入する被処理水を鉛直方向とは交差する方向に分散させる分散板ユニット２６とを有する。なお、分散板ユニット２６については、詳しく後述する。
【００１２】
流入管２５は、槽体１１の内側に配置されている。なお本願で言う「槽体の内側に配置される」とは、槽体１１の内側に流入管２５の少なくとも一部が配置されることを意味する。流入管２５は、「センターウェル」または「フィードウェル」などと称されてもよい。被処理水供給部１２は、流入管２５の上部に接続され、被処理水を流入管２５内に上方から供給する。
【００１３】
流入管２５は、例えば円筒状または多角筒状などの筒状に形成されている。流入管２５は、流入管２５の中心軸を鉛直方向と略一致させて配置されている。流入管２５は、槽体１１の中心軸Ｃに沿って配置されている。例えば、流入管２５の中心軸は、槽体１１の中心軸Ｃと略一致する。
【００１４】
流入管２５の下端２５ａは、槽体１１の底壁２１から離れている。流入管２５の下端２５ａと槽体１１の底壁２１との間には、被処理水が略水平方向に分散して流れる流路が形成されている。被処理水供給部１２から流入管２５内に供給された被処理水は、流入管２５内を下方に向けて流れ、流入管２５の下端２５ａの開口部２５ｂから槽体１１内に供給される。流入管２５から槽体１１内に供給された被処理水は、槽体１１の周壁２２の内壁面と流入管２５の外周面との間をゆっくりと上昇する。例えばこの過程で、フロックの一部が被処理水から分離して沈殿する。
【００１５】
溢流堰１４は、槽体１１の上部に設けられている。溢流堰１４は、この溢流堰１４の上端から溢れた被処理水を収容できるように槽体１１内に溝状に設けられている。例えば、溢流堰１４は、槽体１１の周壁２２の内壁面に沿って設けられている。溢流堰１４は、フロックの分離除去が行われて清浄化された被処理水を被処理水排出部１５に流出させる。
【００１６】
被処理水排出部１５は、例えば溢流堰１４の内部に連通するとともに槽体１１の外側に延びた流出トラフ（または排出配管など）である。被処理水排出部１５は、溢流堰１４の上端から溢れた被処理水を槽体１１の外部に流出させる。槽体１１の外部に流出された被処理水は、例えばさらに他の処理が行われて、ユースポイントに送出される。
【００１７】
掻寄機構１６は、掻寄シャフト３１、駆動モータ３２、支持部材３３、および複数の掻寄板３４を有する。掻寄シャフト３１は、槽体１１の中心部（流入管２５の中心部）に配置されている。掻寄シャフト３１は、流入管２５の中心軸と略平行な方向で、流入管２５を貫通して延びている。駆動モータ３２は、直接または伝達機構などを介して掻寄シャフト３１に接続され、掻寄シャフト３１を回転させる。支持部材３３は、掻寄シャフト３１の下部に連結されている。複数の掻寄板３４は、支持部材３３に取り付けられ、槽体１１の底部（沈殿槽１の底部）に配置されている。このような構成の掻寄機構１６によれば、掻寄シャフト３１は、駆動モータ３２によって駆動されて支持部材３３および複数の掻寄板３４を回転させる。これにより、槽体１１の底壁２１に沈殿した沈殿物が底壁２１の中央部に向けて掻寄せられる。掻寄られた沈殿物は、底壁２１の中央部に設けられた排出口２１ａおよび汚泥引抜管１７を通じて槽体１１の外部に排出される。
【００１８】
次に、分散板ユニット２６について詳しく説明する。
図２は、分散板ユニット２６を示す拡大断面図である。分散板ユニット２６は、分散機構（分配機構）３５と、この分散機構３５を清掃する清掃機構３６とを備えている。
【００１９】
まず、分散機構３５について説明する。
分散機構３５は、流入管２５の下方に配置されている。分散機構３５は、複数の分散板４１，４２，４３を含む。流入管２５の内側を下降して槽体１１に流入した被処理水は、分散板４１，４２，４３に衝突する。分散板４１，４２，４３は、被処理水の流れ方向を、鉛直方向とは交差する方向に変える。被処理水は、分散板４１，４２，４３の外周から放射状に、槽体１１の内部に分散される。これにより、分散板４１，４２，４３は、槽体１１の内部での局所的な被処理水の高速流の発生を抑制し、被処理水の処理効率を高める。
【００２０】
本実施形態の分散機構３５は、例えば３枚の分散板（第１分散板４１、第２分散板４２，第３分散板４３）と、これら分散板４１，４２，４３を支持する分散板支持機構４４と、を有する。なお、分散機構３５に設けられる複数の分散板は、２枚でもよく、４枚以上でもよい。複数の分散板４１，４２，４３を有するので、分散板４１，４２，４３の単位面積当たりのフロックの堆積量が減少する。また、各分散板４１，４２，４３におけるフロックの堆積量が平均化される。
【００２１】
複数の分散板４１，４２，４３は、上下方向に並んで配置される。すなわち複数の各分散板４１，４２，４３は、互いに間隔を空けて異なる高さに配置されている。第１分散板４１は、３枚の分散板４１，４２，４３のなかで最下方に位置する最下方分散板である。第２分散板４２および第３分散板４３は、第１分散板４１の上方に位置する上方分散板である。第３分散板４３は、第２分散板４２の上方に位置する。
【００２２】
各分散板４１，４２，４３は、傘状に形成される。各分散板４１，４２，４３の上面は、径方向の内側から外側にかけて下方に傾斜する傾斜面である。各分散板４１，４２，４３の上面と流入管２５の中心軸Ｃの下方との角度θは同等である。角度θは、０＜θ＜π／２を満たす。
【００２３】
流入管２５から槽体１１内に流入した被処理水は、各分散板４１，４２，４３の上面に衝突する。このとき、被処理水に含まれるフロックが各分散板４１，４２，４３の上面に落下して堆積する可能性がある。後述する清掃機構３６は、各分散板４１，４２，４３の上面に堆積したフロックを掻き取る。しかし、清掃機構３６による掻取り時に、重量の軽い微細フロックが被処理水の中に舞い上がる。これにより、被処理水排出部１５から排出される処理水の水質が悪化する可能性がある。
【００２４】
前述したように、各分散板４１，４２，４３の上面は傾斜している。そのため、各分散板４１，４２，４３の上面に落下したフロックは、重力により径方向の外側に移動して、各分散板４１，４２，４３の外側に落下しやすい。そのため、各分散板４１，４２，４３の上面におけるフロックの堆積が抑制される。これにより、槽体１１の内部での局所的な被処理水の高速流の発生が抑制される。したがって、沈殿槽１の沈降分離性能が向上する。
【００２５】
各分散板４１，４２，４３の外形は、平面視において円形状または多角形状に形成されている。各分散板４１，４２，４３の外径は同等である。各分散板４１，４２，４３は、流入管２５の開口部２５ｂと同じか、それより大きな外形を有する。すなわち各分散板４１，４２，４３の外周は、流入管２５の内周と同じ径方向の位置か、それより径方向の外側に配置される。掻寄シャフト３１の外周から流入管２５の内周までの距離がＲである。掻寄シャフト３１の外周から第１分散板４１の外周までの距離がｒ１である。このとき、Ｒ≦ｒ１・ｓｉｎθが成立する。
【００２６】
これにより、流入管２５から槽体１１内に流入した被処理水の大部分が、複数の分散板４１，４２，４３のいずれかに衝突して分散される。これにより、槽体１１の内部での局所的な被処理水の高速流の発生が抑制される。したがって、沈殿槽１の沈降分離性能が向上する。
【００２７】
第１分散板４１は、径方向の中央部に第１開口部４１ａを有する。第２分散板４２は、径方向の中央部に第２開口部（上方開口部）４２ａを有する。第３分散板４３は、径方向の中央部に第３開口部（上方開口部）４３ａを有する。これにより、各分散板４１，４２，４３は円環状に形成される。各開口部４１ａ，４２ａ，４３ａは、槽体１１の中心軸Ｃ（掻寄シャフト３１）を中心とする同心円状に形成されている。第１開口部４１ａの直径は、掻寄シャフト３１の外径と同等に形成される。第２開口部４２ａの直径は、第１開口部４１ａの直径より大きく形成される。第３開口部４３ａの直径は、第２開口部４２ａの直径より大きく形成される。第１分散板４１の内周から外周までの距離がｒ１である。第２分散板４２の内周から外周までの距離がｒ２である。第３分散板４３の内周から外周までの距離がｒ３である。このとき、ｒ１＞ｒ２＞ｒ３が成立する。
【００２８】
掻寄シャフト３１は、各開口部４１ａ，４２ａ，４３ａに通されている。第１分散板４１の内周は、掻寄シャフト３１の外周に近接して配置される。第２分散板４２は、第２開口部４２ａを有することで、掻寄シャフト３１の外周面から離れている。第３分散板４３は、第３開口部４３ａを有することで、掻寄シャフト３１の外周面から離れている。
【００２９】
流入管２５の内周に沿って槽体１１内に流入した被処理水は、第３分散板４３が設けられた高さで第３分散板４３に衝突する。第３分散板４３に衝突した被処理水は、第３分散板４３によって鉛直方向とは交差する方向に分散される。流入管２５の径方向の中間部から槽体１１内に流入した被処理水は、第２分散板４２が設けられた高さで第２分散板４２に衝突する。第２分散板４２に衝突した被処理水は、第２分散板４２によって鉛直方向とは交差する方向に分散される。流入管２５の径方向の中央部から槽体１１内に流入した被処理水は、第１分散板４１が設けられた高さで第１分散板４１に衝突する。第１分散板４１に衝突した被処理水は、第１分散板４１によって鉛直方向とは交差する方向に分散される。
【００３０】
すなわち、流入管２５から槽体１１内に流入する被処理水は、径方向の外側から順番に第３分散板４３、第２分散板４２、および第１分散板４１に別々に衝突する。すなわち、被処理水は、各分散板４１，４２，４３に段階的に衝突して分散されるため、１枚の分散板によって分散させる場合に比べて、効率的に分散される。これにより、槽体１１の内部での局所的な被処理水の高速流の発生が抑制される。したがって、沈殿槽１の沈降分離性能が向上する。
【００３１】
分散板支持機構４４は、第１スライダ４１ｓと、レール４６と、第２スライダ４２ｓと、第３スライダ４３ｓと、を有する。
第１スライダ４１ｓは、リング状に形成され、掻寄シャフト３１に外挿される。第１スライダ４１ｓは、掻寄シャフト３１に沿って上下方向に移動可能である。第１スライダ４１ｓは、上下方向の任意の位置で掻寄シャフト３１に固定可能である。第１分散板４１は、第１スライダ４１ｓに接続されて支持される。これにより第１分散板４１は、上下方向の位置を変更可能である。第１スライダ４１ｓは、掻寄シャフト３１に対して周方向の位置が規制される。これにより第１分散板４１は、掻寄シャフト３１とともに回転する。
【００３２】
レール４６は、上下方向に沿って配置される。レール４６の上下方向に垂直な断面は、円形状または多角形状に形成される。レール４６は、複数の分散板４１，４２，４３の径方向の外側に配置される。レール４６の下端部は、第１分散板４１に接続される。これによりレール４６は、第１分散板４１とともに上下方向の位置を変更可能である。
【００３３】
第２スライダ４２ｓは、リング状に形成され、レール４６に外挿される。第２スライダ４２ｓは、レール４６に沿って上下方向に移動可能である。第２スライダ４２ｓは、上下方向の任意の位置でレール４６に固定可能である。第２分散板４２は、第２スライダ４２ｓに接続されて支持される。これにより第２分散板４２は、上下方向の位置を変更可能である。なお、レール４６にはキー４６ｋが設けられ、第２スライダ４２ｓにはキー溝（不図示）が設けられる。これにより、レール４６を中心とする第２分散板４２の回転が規制される。
【００３４】
第３スライダ４３ｓは、第２スライダ４２ｓと同様に形成される。第３スライダ４３ｓにより、第３分散板４３は、上下方向の位置を変更可能である。
なお、分散板４１，４２，４３の径方向の外側の複数箇所に、レール４６、第２スライダ４２ｓおよび第３スライダ４３ｓが設けられてもよい。これにより、第２分散板および第３分散板４３が安定して支持される。
【００３５】
このように、分散板支持機構４４は、複数の分散板４１，４２，４３の上下方向の位置をそれぞれ独立して変更可能に、複数の分散板４１，４２，４３を支持する。各分散板４１，４２，４３は、分散板支持機構４４により掻寄シャフト３１に接続されて、掻寄シャフト３１と共に回転する。
【００３６】
分散板４１，４２，４３は、上下方向に並んで配置される。隣り合う分散板の上下方向の間隔ｄは同等である。ここで、ｄ≧ｒ１・ｃｏｓθを満たすように、各分散板４１，４２，４３の上下方向の位置が分散板支持機構４４により調整される。
分散板４１，４２，４３の上面に落下したフロックは、重力により分散板の外側に移動する。このとき、上下方向に隣り合う分散板の間にフロックが挟まれて滞留する可能性がある。上記の関係を満たすように各分散板４１，４２，４３の上下方向の位置を調整することで、隣り合う分散板の上下方向の間隔ｄが確保される。これにより、隣り合う分散板の間にフロックが挟まれて滞留することが抑制される。これに伴って、槽体１１の内部における局所的な被処理水の高速流の発生が抑制される。したがって、沈殿槽１の沈降分離性能が向上する。
【００３７】
次に、分散機構３５を清掃する清掃機構（清掃ユニット）３６について説明する。
本実施形態の清掃機構３６は、第１清掃板５１、第２清掃板５２、第３清掃板５３、および清掃板支持機構５４を有する。清掃板は、清掃部材の一例である。
【００３８】
第１清掃板５１は、第１分散板４１の上方に配置される。例えば、第１清掃板５１は、第１分散板４１と第２分散板４２との間に配置されている。本実施形態では、第１清掃板５１は、第１分散板４１の上面に沿って配置された平板である。
【００３９】
図３は、第１の実施形態の第１分散板および第１清掃板を示す平面断面図である。なお図３は、図２のＩＩＩ−ＩＩＩ線における断面図である。例えば、第１清掃板５１は、径方向に沿って設けられている。例えば、第１清掃板５１は、掻寄シャフト３１の近傍から、第１分散板４１の外周よりも外側まで延びている。
【００４０】
図２に示すように、例えば、第１清掃板５１と第１分散板４１の上面との間には、第１清掃板５１が第１分散板４１に対してスムーズに相対的に移動するための隙間が形成されている。なお、第１清掃板５１は、例えば少なくとも一部が弾性を有する材料で形成され、第１分散板４１の上面に摺動可能に接していてもよい。第１清掃板５１は、後述する清掃板支持機構５４を介して流入管２５に接続されており、槽体１１に対して回転しない。第１清掃板５１は、掻寄シャフト３１の回転に伴って第１分散板４１が回転することで、第１分散板４１の上面に対して相対的に移動する。なお本願でいう「相対的に移動」とは、本実施形態のように静止した清掃部材に対して分散板が移動する場合に限らず、静止した分散板に対して清掃部材が移動する場合も含む。
【００４１】
第２清掃板５２および第３清掃板５３についても、第１清掃板５１と同様に形成される。第２清掃板５２および第３清掃板５３に関する説明は、第１清掃板５１に関する上記説明において、「第１清掃板５１」を「第２清掃板５２」または「第３清掃板５３」と、「第１分散板４１」を「第２分散板４２」または「第３分散板４３」と読み替えればよい。
【００４２】
清掃板支持機構５４は、レール５６と、第１スライダ５１ｓと、第２スライダ５２ｓと、第３スライダ５３ｓと、連結部材５７と、を有する。
レール５６は、上下方向に沿って配置される。レール５６の上下方向に垂直な断面は、円形状または多角形状に形成される。レール５６は、掻寄シャフト３１の近傍に配置される。レール５６は、掻寄シャフト３１と共に、第２分散板４２の第２開口部４２ａおよび第３分散板４３の第３開口部４３ａに通される。
【００４３】
第１スライダ５１ｓは、リング状に形成され、レール５６に外挿される。第１スライダ５１ｓは、レール５６に沿って上下方向に移動可能である。第１スライダ５１ｓは、上下方向の任意の位置でレール５６に固定可能である。第１清掃板５１は、第１スライダ５１ｓに接続されて支持される。第１スライダ５１ｓにより、第１清掃板５１は、上下方向の位置を変更可能である。なお、レール５６にはキー５６ｋが設けられ、第１スライダ５１ｓにはキー溝（不図示）が設けられる。これにより、レール５６を中心とする第１清掃板５１の回転が規制される。
【００４４】
第２スライダ５２ｓおよび第３スライダ５３ｓは、第１スライダ５１ｓと同様に形成される。第２スライダ５２ｓにより、第２清掃板５２は、上下方向の位置を変更可能である。第３スライダ５３ｓにより、第３清掃板５３は、上下方向の位置を変更可能である。
このように、清掃板支持機構５４は、複数の清掃板５１，５２，５３の上下方向の位置をそれぞれ独立して変更可能に、複数の清掃板５１，５２，５３を支持する。これにより、複数の分散板４１，４２，４３の上下方向の位置調整に対応した、複数の清掃板５１，５２，５３の上下方向の位置調整が可能になる。
【００４５】
連結部材５７は、レール５６の上端部と流入管２５との間を連結する。これにより、複数の清掃板５１，５２，５３は、清掃板支持機構５４を介して流入管２５に接続され、槽体１１に対して回転しない。一方で、複数の分散板４１，４２，４３は、分散板支持機構を介して掻寄シャフト３１に接続され、掻寄シャフト３１と共に回転する。その結果、各清掃板５１，５２，５３は、各分散板４１，４２，４３の上面に沿って相対的に移動する。
【００４６】
図３に示すように、第１清掃板５１が第１分散板４１の上面に沿って相対的に移動すると、第１分散板４１の上面に堆積した沈殿物（例えばフロックＦ）は、第１清掃板５１にぶつかり、第１清掃板５１によって第１分散板４１の上面から剥離される。これにより、第１清掃板５１によって第１分散板４１の上面が清掃される。なお上記作用は、第２清掃板５２および第３清掃板５３についても同様である。
【００４７】
以上に説明したように、実施形態の沈殿槽１は、槽体１１と、流入管２５と、複数の分散板４１，４２，４３と、を持つ。流入管２５は、槽体１１の内側において槽体１１の中心軸Ｃに沿って配置される。複数の分散板４１，４２，４３は、流入管２５の下方において上下方向に並んで配置される。複数の分散板４１，４２，４３の上面は、流入管２５の径方向の内側から外側にかけて下方に傾斜する。複数の分散板４１，４２，４３の外周は、流入管２５の内周と同じ径方向の位置または流入管２５の内周より径方向の外側に配置される。
【００４８】
複数の分散板４１，４２，４３の上面が傾斜している。そのため、分散板４１，４２，４３の上面に落下したフロックは、重力により径方向の外側に移動して、分散板４１，４２，４３の外側に落下しやすい。これにより、分散板４１，４２，４３の上面におけるフロックの堆積が抑制される。これにより、沈殿槽１の内部において、局所的に被処理水の高速流が発生することなく、被処理水が均等に低速で流通する。したがって、被処理水の処理効率が高まり、沈殿槽１の沈降分離性能が向上する。
【００４９】
複数の分散板は、最下方に配置される第１分散板４１と、第１分散板４１の上方に配置される第２分散板４２および第３分散板４３と、を有する。第２分散板４２は、径方向の中央部に第２開口部４２ａを有する。第３分散板４３は、径方向の中央部に第３開口部４３ａを有する。
【００５０】
流入管２５の内周に沿って槽体１１内に流入した被処理水は、第２分散板４２および第３分散板４３が設けられた高さで、第２分散板４２および第３分散板４３により分散される。流入管２５の径方向の中央部から槽体１１内に流入した被処理水は、第２開口部４２ａおよび第３開口部４３ａを通過し、第１分散板４１が設けられた高さで、第１分散板４１により分散される。これにより被処理水は、１枚の分散板によって分散される場合に比べて、槽体１１の内部に広く分散される。したがって、沈殿槽１の沈降分離性能が向上する。
【００５１】
沈殿槽１は、複数の分散板４１，４２，４３の上下方向の位置をそれぞれ独立して変更可能に複数の分散板４１，４２，４３を支持する分散板支持機構４４を有する。
これにより、隣り合う分散板の上下方向の間隔ｄが確保される。そのため、フロックが隣り合う分散板の間に挟まれて滞留することが抑制される。したがって、沈殿槽１の沈降分離性能が向上する。
【００５２】
沈殿槽１は、複数の分散板４１，４２，４３の上面に沿って相対的に移動可能な複数の清掃板５１，５２，５３を有する。
これにより、重いフロックが分散板４１，４２，４３の上面に堆積した場合でも、フロックが清掃板５１，５２，５３により掻き取られる。そのため、分散板４１，４２，４３の上面におけるフロックの滞留が抑制される。したがって、沈殿槽１の沈降分離性能が向上する。
【００５３】
沈殿槽１は、複数の清掃板５１，５２，５３の上下方向の位置をそれぞれ独立して変更可能に複数の清掃板５１，５２，５３を支持する清掃板支持機構５４を有する。
これにより、複数の分散板４１，４２，４３の上下方向の位置調整に対応した、複数の清掃板５１，５２，５３の上下方向の位置調整が可能になる。
【００５４】
複数の清掃板５１，５２，５３は、流入管２５に接続される。複数の分散板４１，４２，４３は、沈殿槽１の底部に配置される掻寄板３４を回転させる掻寄シャフト３１に接続される。
これにより、複数の分散板４１，４２，４３の上面に沿って、複数の清掃板５１，５２，５３が相対的に移動可能になる。
【００５５】
第１の実施形態の第１変形例について説明する。
図４は、第１の実施形態の第１変形例の第１清掃板を示す平面断面図である。なお図４は、図２のＩＩＩ−ＩＩＩ線に相当する部分における断面図である。第１変形例のうち、第１の実施形態と同様の部分の説明は省略される。
【００５６】
第１清掃板５１は、掻寄シャフト３１の周囲を相対的に回転移動する。第１清掃板５１の移動方向の面５１ｆは、径方向の外側を向く傾斜面である。すなわち、第１清掃板５１の移動方向の面５１ｆは、径方向の内側から外側にかけて、移動方向の後方（上流側）に傾斜している。第２清掃板５２および第３清掃板５３についても、第１清掃板５１と同様に形成される。
【００５７】
第１清掃板５１が第１分散板４１に対して相対的に回転すると、第１分散板４１の上面に堆積したフロックＦが、第１清掃板５１の面５１ｆに衝突する。さらに第１清掃板５１が回転すると、フロックＦは第１清掃板５１の面５１ｆに案内されて、径方向の外側に移動する。これによりフロックＦは、第１分散板４１の外側に落下して、第１分散板４１の上面から除去される。第２清掃板５２および第３清掃板５３についても同様である。これにより、分散板４１，４２，４３の上面におけるフロックＦの滞留が抑制される。これに伴って、沈殿槽１の内部において、局所的に被処理水の高速流が発生することなく、被処理水が均等に低速で流通する。したがって、沈殿槽１の沈降分離性能が向上する。
【００５８】
第１の実施形態の第２変形例について説明する。
図５は、第１の実施形態の第２変形例の第１清掃板を示す平面断面図である。なお図４は、図２のＩＩＩ−ＩＩＩ線に相当する部分における断面図である。第２変形例のうち、第１の実施形態の第１変形例と同様の部分の説明は省略される。
【００５９】
第１清掃板５１の移動方向の面５１ｆは、径方向の外側に向かうほど径方向の外側を向く曲面である。なお第１清掃板５１の移動方向の面５１ｆは、面内の全ての点における法線ベクトルが径方向の外側を向いている。第２清掃板５２および第３清掃板５３についても、第１清掃板５１と同様に形成される。
【００６０】
第１清掃板５１の移動方向の面５１ｆが曲面であるため、フロックＦは第１清掃板５１の面５１ｆに案内されて、径方向の外側に移動しやすい。第２清掃板５２および第３清掃板５３についても同様である。これにより、分散板４１，４２，４３の上面におけるフロックの滞留が抑制される。したがって、沈殿槽１の沈降分離性能が向上する。
【００６１】
第１の実施形態の第３変形例について説明する。
図６は、第１の実施形態の第３変形例の第１分散板を示す平面図である。第３変形例のうち、第１の実施形態と同様の部分の説明は省略される。
【００６２】
第１分散板４１は、第１開口部４１ａに加えて、最下方開口部４１ｃを有する。最下方開口部４１ｃは、第１分散板４１を上下方向に貫通して形成される。最下方開口部４１ｃは、第１分散板４１の径方向の中間部に形成される。最下方開口部４１ｃは、第１分散板４１の周方向の略全体に亘って円環状に形成される。これにより第１分散板４１は、径方向において中央部４１ｍと周縁部４１ｎとに分断される。ただし、中央部４１ｍと周縁部４１ｎとの間は、複数の接続部４１ｐにより接続される。複数の接続部４１ｐは、周方向に等角度間隔で配置される。第１分散板４１の中央部４１ｍの外径は、第２分散板４２の第２開口部４２ａの直径より大きい。
【００６３】
第１分散板４１の上面に落下したフロックは、重力により第１分散板４１の外側に移動する。このとき、第１分散板４１と第２分散板４２との間にフロックが挟まれて滞留する可能性がある。また、被処理水に生物汚泥由来成分が含まれる場合には、スカムが第１分散板４１に堆積する。スカムとは、汚泥が発生した気泡を抱き込んで厚い膜状になったものである。このスカムにより、第１分散板４１と第２分散板４２との間が閉塞される可能性がある。前述したように、第１分散板４１は最下方開口部４１ｃを有する。これにより、第１分散板４１の中央部４１ｍの上面に落下し、径方向の外側に移動したフロックまたはスカムは、最下方開口部４１ｃから槽体１１の底壁２１に落下する。そのため、第１分散板４１と第２分散板４２との間におけるフロックまたはスカムの滞留が抑制される。したがって、沈殿槽１の沈降分離性能が向上する。
【００６４】
第１分散板４１に最下方開口部４１ｃがない場合、流入管２５から流入し第１分散板４１に衝突した被処理水は、第１分散板４１の外周から放射状に槽体１１の内部に分散される。そのため、槽体１１の底壁２１に堆積するフロックは、第１分散板４１の外周より外側に分布し、第１分散板４１の外周より内側には分布しない。前述したように、第１分散板４１は最下方開口部４１ｃを有する。第１分散板４１の上面に落下したフロックは、最下方開口部４１ｃから槽体１１の底壁２１に落下する。これにより、第１分散板４１の外周より内側の槽体１１の底壁２１にもフロックが堆積する。そのため、フロックの分布範囲が広がり、槽体１１の底壁２１の全体が有効活用される。これにより、沈殿槽１の内部において、局所的に被処理水の高速流が発生することなく、被処理水が均等に低速で流通する。したがって、沈殿槽１の沈降分離性能が向上する。
【００６５】
前述したように、第１分散板４１の中央部４１ｍの外径は、第２分散板４２の第２開口部４２ａの直径より大きい。これにより、流入管２５から流入し第２分散板４２の第２開口部４２ａを通過した被処理水の大部分が、第１分散板４１の中央部４１ｍに衝突する。中央部４１ｍに衝突した被処理水は、上下方向と交差する方向に分散される。これにより、槽体１１の内部における被処理水の実質的滞留時間が確保される。したがって、沈殿槽１の沈降分離性能が向上する。
【００６６】
第１の実施形態の第４変形例について説明する。
図７は、第１の実施形態の第４変形例の第１分散板を示す平面図である。第４変形例のうち、第１の実施形態の第３変形例と同様の部分の説明は省略される。
【００６７】
第１分散板４１は、複数の最下方開口部４１ｃを有する。最下方開口部４１ｃは、円形状または多角形状などに形成される。複数の最下方開口部４１ｃは、周方向に等角度間隔で配置される。第１分散板４１の中央部４１ｍと周縁部４１ｎとの間は、隣り合う最下方開口部４１ｃの間に形成される接続部４１ｐによって接続される。
【００６８】
第４変形例の第１分散板４１は、第３変形例の第１分散板４１と同様の作用効果を有する。第４変形例の第１分散板４１は、中央部４１ｍと周縁部４１ｎとの間が多くの接続部４１ｐによって接続される。これにより、第１分散板４１の強度が向上する。
【００６９】
（第２の実施形態）
第２の実施形態の分散板ユニットについて説明する。
図８は、第２の実施形態の分散板ユニットを示す拡大断面図である。なお、第２の実施形態の分散板ユニットを示す図８は、第１の実施形態の分散板ユニットを示す図２に対応する図である。第２の実施形態は、清掃板支持機構５４のレール５６が分散板４１，４２，４３の径方向の外側に配置される点で、第１の実施形態と異なる。第２の実施形態のうち、第１の実施形態と同様の部分の説明は省略される。
【００７０】
分散板ユニット２６は、分散機構３５と、清掃機構３６と、を有する。
分散機構３５は、複数の分散板（第１分散板４１，第２分散板４２，第３分散板４３）と、分散板支持機構４４と、を有する。
分散板支持機構４４は、第１スライダ４１ｓと、第２スライダ４２ｓと、第２接続部４２ｐと、第３スライダ４３ｓと、第３接続部４３ｐと、を有する。
【００７１】
第２スライダ４２ｓは、リング状に形成され、掻寄シャフト３１に外挿される。第２スライダ４２ｓは、掻寄シャフト３１に沿って上下方向に移動可能である。第２スライダ４２ｓは、上下方向の任意の位置で掻寄シャフト３１に固定可能である。第２スライダ４２ｓは、掻寄シャフト３１に対して周方向の位置が規制される。
【００７２】
第２接続部４２ｐは、棒状に形成され、径方向に沿って配置される。第２接続部４２ｐは、第２開口部４２ａを跨いで配置される。第２接続部４２ｐの径方向の内側端部は第２スライダ４２ｓに接続され、径方向の外側端部は第２分散板４２に接続される。複数の第２接続部４２ｐが、周方向に等角度間隔で配置される。
【００７３】
第２分散板４２は、第２接続部４２ｐを介して第２スライダ４２ｓに接続されて支持される。これにより第２分散板４２は、上下方向の位置を変更可能である。また第２分散板４２は、掻寄シャフト３１と共に回転する。
【００７４】
第３スライダ４３ｓおよび第３接続部４３ｐは、第２スライダ４２ｓおよび第２接続部４２ｐと同様に形成される。
これにより、分散板支持機構４４は、複数の分散板４１，４２，４３の上下方向の位置をそれぞれ独立して変更可能に、複数の分散板４１，４２，４３を支持する。各分散板４１，４２，４３は、分散板支持機構４４により掻寄シャフト３１に接続されて、掻寄シャフト３１と共に回転する。
【００７５】
清掃機構３６は、複数の清掃板（第１清掃板５１、第２清掃板５２、第３清掃板５３）と、清掃板支持機構５４と、を有する。
清掃板支持機構５４は、第１スライダ５１ｓと、第２スライダ５２ｓと、第３スライダ５３ｓと、レール５６と、を有する。
【００７６】
レール５６は、上下方向に沿って配置される。レール５６は、分散板４１，４２，４３の径方向の外側に配置される。レール５６の上端部は、流入管２５に連結される。これにより、複数の清掃板５１，５２，５３は、清掃板支持機構５４を介して流入管２５に接続される。そのため、複数の清掃板５１，５２，５３は、槽体１１に対して回転しない。一方で、複数の分散板４１，４２，４３は、分散板支持機構４４を介して掻寄シャフト３１に接続される。そのため、複数の分散板４１，４２，４３は、掻寄シャフト３１と共に回転する。これにより、各清掃板５１，５２，５３は、各分散板４１，４２，４３の上面に沿って相対的に移動する。
【００７７】
第２の実施形態の分散板ユニット２６は、第１の実施形態の分散板ユニットと同様の作用効果を有する。第２の実施形態の分散板支持機構４４は、複数の第２接続部４２ｐにより第２分散板４２を支持し、複数の第３接続部４３ｐにより第３分散板４３を支持する。これにより、第２分散板４２および第３分散板４３が安定して支持される。
【００７８】
以上説明した少なくともひとつの実施形態によれば、複数の分散板４１，４２，４３を持つ。複数の分散板４１，４２，４３の上面は、流入管２５の径方向の内側から外側にかけて下方に傾斜する。複数の分散板４１，４２，４３の外周は、流入管２５の内周と同じ径方向の位置または流入管２５の内周より径方向の外側に配置される。これにより、沈殿槽１の沈降分離性能が向上する。
【００７９】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００８０】
１…沈殿槽、１１…槽体、２５…流入管、３１…掻寄シャフト、３４…掻寄板、４１…第１分散板（最下方分散板）、４１ｃ…最下方開口部、４２…第２分散板（上方分散板）、４２ａ…第２開口部（上方開口部）、４３…第３分散板（上方分散板）、４３ａ…第３開口部（上方開口部）、４４…分散板支持機構、５１…第１清掃板（清掃部材）、５２…第２清掃板（清掃部材）、５３…第３清掃板（清掃部材）、５４…清掃板支持機構（清掃部材支持機構）。
【図１】
2020089845.tif 000003
【図２】
2020089845.tif 000004
【図３】
2020089845.tif 000005
【図４】
2020089845.tif 000006
【図５】
2020089845.tif 000007
【図６】
2020089845.tif 000008
【図７】
2020089845.tif 000009
【図８】
2020089845.tif 000010